(57)【要約】【課題】  複数のサイズのコップを１つの凹部にて確実に収納保持することができ、強度を維持し得るコップ収納用トレーを提供すること。【解決手段】  コップ収納用凹部(５)の底面（２）と略同一深さの一対の脚部（１２）を形成し、上記コップ収納用凹部（５）には、該凹部の中心方向に突出する３箇所の凸面部（６）を間隔を置いて突設し、上記各凸面部（６）の底面近傍に略方形の開口部（８）を設けると共に、これらの開口部（８）の上縁から上方に開口してスリット（９）を形成し、上記開口部（８）はその高さ（α）が横幅（β）の１／３以上の長さを有する方形をなしており、Ｕ字状縁部（５’）の連続縁中央部（５ｂ）側に位置するスリット(９ａ)は、その長さが短く形成され、該スリット上端と上記コップ収納用凹部の上面開口までの周壁に補強用周壁(４ｂ)を形成したコップ収納用トレー。【選択図】  図４
2012030888.tif 000002
【特許請求の範囲】
【請求項１】
底面から上面開口に向って起立する周壁を有するコップ収納用凹部を具備するパルプモウルド製のコップ収納用トレーにおいて、
上記コップ収納用凹部の上面開口の縁にＵ字状縁部を設け、該Ｕ字状縁部の一対の端部側の上記コップ収納用凹部の外側に、上記底面と略同一深さの一対の脚部を形成し、これら一対の脚部と上記底面により当該コップ収納用トレーを自立可能に構成し、
上記コップ収納用凹部には、該凹部の中心方向に突出する３箇所の凸面部を、上記Ｕ字状縁部の連続縁中央部側の周壁と、上記各脚部近傍の周壁に、互いに１２０度の間隔を置いて突設し、
上記各凸面部の上記底面近傍の周壁に略方形の開口部を各々設けると共に、これらの開口部の上縁から上記各凸面部の中心部を上方に開口してスリットを形成し、上記各スリットの左右周壁を拡径方向に弾性変形可能に形成し、
上記Ｕ字状縁部の上記連続縁中央部側に位置する上記スリットは、他の２箇所の上記スリットよりその長さが短く形成され、上記短いスリットの上端と上記コップ収納用凹部の上記上面開口までの上記周壁に補強用周壁が形成されているものであることを特徴とするコップ収納用トレー。
【請求項２】
上記各開口部の上縁には、上記コップ収納用凹部に収納されるコップの外周面に対向する薄肉保持面が各々形成されているものであることを特徴とする請求項１記載のコップ収納用トレー。
【請求項３】
上記各開口部はその高さ（α）が横幅（β）の１／３以上の長さから上記横幅（β）と略同じ長さの範囲を有する方形をなしているものであることを特徴とする請求項１又は２記載のコップ収納用トレー。
【請求項４】
上記各開口部はその高さ（α）が横幅（β）の１／６以上の長さから上記横幅（β）と略同じ長さの範囲を有する方形をなしているものであることを特徴とする請求項１又は２記載のコップ収納用トレー。
【請求項５】
２個の上記コップ収納用トレーを、互いの一対の上記脚部同士が各々連結されるように左右方向に一体に形成し、
上記コップ収納用トレーを一体形成した状態において、上記トレーを一体に連結する左右連結部に、上記両トレーを左右に２分割し得るミシン目を、上記左右方向に直交する方向に形成したものであることを特徴とする請求項１〜４の何れかに記載のコップ収納用トレー。
【請求項６】
上記ミシン目にて上記コップ収納用トレーを２分割した状態において、分割後の各コップ収納用トレーは、上記各底面と各一対の上記脚部にて各々自立可能であることを特徴とする請求項５記載のコップ収納用トレー。
【請求項７】
請求項５記載の２個の上記コップ収納用凹部を有する上記コップ収納用トレーを、互いの一方の上記脚部同士が各々連結するように前後方向に一体に形成することにより、４個の上記コップ収納用凹部を有するコップ収納用トレーを一体に形成し、
上記コップ収納用トレーを一体形成した状態において、上記トレーを一体に連結する前後連結部に、上記トレーを２個ずつの上記コップ収納用凹部を有するコップ収納用トレーに前後に２分割するためのミシン目を、上記前後方向に直交する方向に形成したものであることを特徴とする請求項５記載のコップ収納用トレー。
【請求項８】
上記コップ収納用凹部において、上記各凸面部間の上記底面には該底面より一段高い同一高さの段部を各々設けると共に、上記各段部の内周面によって段部内接円が形成されるように上記各内周面を円弧状に形成し、
上記各内周面により形成される上記段部内接円の直径が、上記各凸面部の突出頂部の凸面部内接円の直径より小であることを特徴とする請求項１〜７の何れかに記載のコップ収納用トレー。
【請求項９】
上記各段部は、上記各スリットの下端部位置より低い高さであることを特徴とする請求項８記載のコップ収納用トレー。
【発明の詳細な説明】
【技術分野】
【０００１】
本発明は、例えば持ち帰り用の袋或いは折り畳み可能な手提げ箱内等の底部に設置され、１つのコップ収納用凹部において、大きさの異なる紙コップ等を確実に収納保持することができるコップ収納用トレーに関するものである。
【背景技術】
【０００２】
従来、ファーストフード店等において、飲料物を購入して持ち帰るとき、持ち帰り用の紙袋内の底部にトレーを設置し、当該トレーに飲料物の紙コップを収納保持することが行われている。
【０００３】
上記従来のトレーとしては、特許文献１，２に示すように、パルプモウルド製のトレーであって、２個又は４個の隣接するコップ収納用凹部を有するものが提案されている。
【０００４】
このトレーは、上記コップ収納用凹部に紙コップを収納すると、凹部の内周面が紙コップの外周に接触することにより、当該凹部内に紙コップを保持するものである。
【先行技術文献】
【特許文献】
【０００５】
【特許文献１】特開２００４−１０６９３５号
【特許文献２】特開平１１−２２７７３６号
【発明の概要】
【発明が解決しようとする課題】
【０００６】
ところで、上記特許文献１，２のトレーにおいて、逆Ｔ字型のスリットがコップ収納用凹部の上縁まで形成されているので、特に脚部とは離れた位置にある両端部側のスリットにおいて、該スリットの上端部側からトレーが断裂し易くなり、トレーの強度が弱いという課題があった。
【０００７】
また、上記逆Ｔ字型のスリットは下端の水平方向のスリットの幅が狭いので、パルプモウルド成形時に当該スリットがパルプ繊維のバリによって完全に塞がれてしまい、その結果スリットとして機能が失われてしまうという問題があった。上記スリットの機能が失われると、当該スリット近傍の周壁が弾性変形し難くなるため、当該凹部に収納保持し得る紙コップの大きさは一種類に限定されてしまうという課題があった。
【０００８】
よって、コップ収納用トレーとしての強度を維持しつつ、複数の大きさの紙コップ等のコップを確実に保持し得るコップ収納用トレーが望まれている。
【０００９】
本発明は上記従来の課題に鑑みてなされたものであり、複数のサイズのコップを１つの凹部にて確実に収納保持することができ、しかも強度を維持し得るコップ収納用トレーを提供することを目的とする。
【課題を解決するための手段】
【００１０】
上記の目的を達成するため本発明は、
第１に、底面から上面開口に向って起立する周壁を有するコップ収納用凹部を具備するパルプモウルド製のコップ収納用トレーにおいて、上記コップ収納用凹部の上面開口の縁にＵ字状縁部を設け、該Ｕ字状縁部の一対の端部側の上記コップ収納用凹部の外側に、上記底面と略同一深さの一対の脚部を形成し、これら一対の脚部と上記底面により当該コップ収納用トレーを自立可能に構成し、上記コップ収納用凹部には、該凹部の中心方向に突出する３箇所の凸面部を、上記Ｕ字状縁部の連続縁中央部側の周壁と、上記各脚部近傍の周壁に、互いに１２０度の間隔を置いて突設し、上記各凸面部の上記底面近傍の周壁に略方形の開口部を各々設けると共に、これらの開口部の上縁から上記各凸面部の中心部を上方に開口してスリットを形成し、上記各スリットの左右周壁を拡径方向に弾性変形可能に形成し、上記Ｕ字状縁部の上記連続縁中央部側に位置する上記スリットは、他の２箇所の上記スリットよりその長さが短く形成され、上記短いスリットの上端と上記コップ収納用凹部の上記上面開口までの上記周壁に補強用周壁が形成されているものであることを特徴とするコップ収納用トレーにより構成される。
【００１１】
このように構成すると、Ｕ字状縁部（５’）の連続縁中央部（５ｂ）側のスリット（９ａ）の上部側に補強用周壁（４ｂ）が形成されているので、コップ収納用トレーの強度を向上することができる。
【００１２】
第２に、上記各開口部の上縁には、上記コップ収納用凹部に収納されるコップの外周面に対向する薄肉保持面が各々形成されているものであることを特徴とする上記第１記載のコップ収納用トレーにより構成される。
【００１３】
よって、コップの収納時に、上記薄肉保持面（８ａ）がコップの外周面に接触するので、コップを確実に収納保持することができる。
【００１４】
第３に、上記各開口部はその高さ（α）が横幅（β）の１／３以上の長さから上記横幅（β）と略同じ長さの範囲を有する方形をなしているものであることを特徴とする上記第１又は２記載のコップ収納用トレーにより構成される。
【００１５】
このように構成すると、開口部（８）の高さ（α）が横幅（β）の１／３以上の長さを有しているため、パルプモウルド成形においてバリにより塞がれてしまうことがなく、スリット（９）の左右周壁（４ａ，４ａ）が十分に弾性変形し得るため、異なる直径のコップをも確実に収納保持することができる。
【００１６】
第４に、上記各開口部はその高さ（α）が横幅（β）の１／６以上の長さから上記横幅（β）と略同じ長さの範囲を有する方形をなしているものであることを特徴とする上記第１又は２記載のコップ収納用トレーにより構成される。
【００１７】
このように構成すると、開口部（８）の高さ（α）が横幅（β）の１／６以上の長さを有しているため、パルプモウルド成形においてバリにより完全に塞がれてしまうことがなく、スリット（９）の左右周壁（４ａ，４ａ）が十分に弾性変形し得るため、異なる直径のコップをも確実に収納保持することができる。
【００１８】
第５に、２個の上記コップ収納用トレーを、互いの一対の上記脚部同士が各々連結されるように左右方向に一体に形成し、上記コップ収納用トレーを一体形成した状態において、上記トレーを一体に連結する左右連結部に、上記両トレーを左右に２分割し得るミシン目を、上記左右方向に直交する方向に形成したものであることを特徴とする上記第１〜４の何れかに記載のコップ収納用トレーにより構成される。
【００１９】
このように構成すると、直径の異なるコップを各々収納することができるコップ収納用凹部（５）を２個有するコップ収納用トレー（図３参照）を形成することができる。そして、かかるコップ収納用トレーをそのミシン目（１６）から左右に分離することにより、直径の異なるコップを収納することができる１個のコップ収納用凹部（５）を有する２個のコップ収納用トレー（１）に分離することができる。
【００２０】
第６に、上記ミシン目にて上記コップ収納用トレーを２分割した状態において、分割後の各コップ収納用トレーは、上記各底面と各一対の上記脚部にて各々自立可能であることを特徴とする上記第５記載のコップ収納用トレーにより構成される。
【００２１】
このように構成すると、分割後の１個のコップ収納用凹部（５）を有するコップ収納用トレー（１）にコップを収納した状態で、当該トレー（１）を自立させることができ、１個のコップを例えば持ち帰り用袋の内部で安定して自立させることができる。
【００２２】
第７に、上記第５記載の２個の上記コップ収納用凹部を有する上記コップ収納用トレーを、互いの一方の上記脚部同士が各々連結するように前後方向に一体に形成することにより、４個の上記コップ収納用凹部を有するコップ収納用トレーを一体に形成し、上記コップ収納用トレーを一体形成した状態において、上記トレーを一体に連結する前後連結部に、上記トレーを２個ずつの上記コップ収納用凹部を有するコップ収納用トレーに前後に２分割するためのミシン目を、上記前後方向に直交する方向に形成したものであることを特徴とする上記第５記載のコップ収納用トレーにより構成される。
【００２３】
このように構成すると、直径の異なるコップを各々収納することができるコップ収納用凹部（５）を４個有するコップ収納用トレー（図５参照）を形成することができる。そして、かかるコップ収納用トレー（１）をそのミシン目（１６’）から前後に分離することにより、直径の異なるコップを収納することができる２個のコップ収納用凹部（５）を有する２個のコップ収納用トレーに分離することができる。
【００２４】
第８に、上記コップ収納用凹部において、上記各凸面部間の上記底面には該底面より一段高い同一高さの段部を各々設けると共に、上記各段部の内周面によって段部内接円が形成されるように上記各内周面を円弧状に形成し、上記各内周面により形成される上記段部内接円の直径が、上記各凸面部の突出頂部の凸面部内接円の直径より小であることを特徴とする上記第１〜７の何れかに記載のコップ収納用トレーにより構成される。
【００２５】
このように構成すると、上記段部内接円（Ｓ２）の直径より大きく、上記凸面部内接円（Ｓ１）の直径より小さいサイズの直径のコップ（小サイズのコップ２２）は、上記段部（１０）によって弾性的に収納保持することができ、例えば上記凸面部（６）によって大サイズと中サイズのコップを収納保持し、上記段部（１０）によって小サイズのコップを保持することが可能となり、１つのコップ収納用凹部において３種類（大中小）のサイズのコップを収納保持することができる。
【００２６】
第９に、上記各段部は、上記各スリットの下端部（９’）位置より低い高さであることを特徴とする上記第８記載のコップ収納用トレーにより構成される。
【００２７】
このように構成すると、例えば大サイズ或いは中サイズのコップを収納保持すると、各サイズのコップの外周側面を上記凸面部（６）にて確実に収納保持し得ると共に、各コップの下端は上記各段部（１０）の上面（１０ｂ）にて支持し得るので、各サイズのコップを安定して保持し得る。
【発明の効果】
【００２８】
本発明は上述のように、異なるサイズのコップを１つのコップ収納用凹部にて確実に収納保持することができ、しかもスリットからの断裂を防止し得て、強度も十分に高いコップ収納用トレーを実現したものである。
【００２９】
また、コップ収納時に、薄肉保持面がコップの外周面に接触するので、コップを確実に収納保持することができるものである。
【００３０】
また、直径の異なるコップを各々収納することができるコップ収納用凹部を２個有するコップ収納用トレーを形成することができ、しかも、かかるコップ収納用トレーをそのミシン目から左右に分離することができるため、各使用態様に適切に対応可能なコップ収納用トレーを実現し得る。
【００３１】
また、１個のコップ収納用凹部を有するコップ収納用トレーにコップを収納した状態で、当該トレーを自立させることができ、１個のコップを例えば持ち帰り用袋の内部で安定して自立させることができる。
【００３２】
また、直径の異なるコップを各々収納することができるコップ収納用凹部を４個有するコップ収納用トレーを形成することができ、しかも、かかるコップ収納用トレーをそのミシン目から前後に分離することにより、２個のコップ収納用凹部を有する２個のコップ収納用トレーに分離することができ、各使用態様に適切に対応可能なコップ収納用トレーを実現し得る。
【００３３】
また、コップ収納用凹部に段部を形成することによって、１つのコップ収納用凹部において大中小の３種類のサイズのコップを安定して収納保持することができるコップ収納用トレーを実現したものである。
【図面の簡単な説明】
【００３４】
【図１】本発明に係るコップ収納用トレーの平面図である。
【図２】同上トレーの斜視図である。
【図３】コップ収納用凹部を２個有する同上トレーの平面図である。
【図４】コップ収納用凹部を２個有する同上トレーの斜視図である。
【図５】コップ収納用凹部を４個有する同上トレーの平面図である。
【図６】コップ収納用凹部を４個有する同上トレーの斜視図である。
【図７】同上トレーにコップ（中）を収納した状態を示す側面断面図である。
【図８】同上トレーにコップ（中）を収納した状態を示す一部切欠斜視図である。
【図９】（ａ）は同上トレーの平面図、（ｂ）はコップ(中)を収納した状態における（ａ）のＤ−Ｄ線断面図である。
【図１０】同上トレーにコップ（大）を収納した状態を示す側面断面図である。
【図１１】同上トレーにコップ(大)を収納した状態を示す一部切欠斜視図である。
【図１２】（ａ）は同上トレーの平面図、（ｂ）はコップ（大）を収納した状態における（ａ）のＥ−Ｅ線断面図である。
【図１３】同上トレーの平面図である。
【図１４】同上トレーの斜視図である。
【図１５】コップ収納用凹部を２個有する同上トレーの平面図である。
【図１６】コップ収納用凹部を２個有する同上トレーの斜視図である。
【図１７】（ａ）は同上トレーの平面図、（ｂ）はコップ(小)を収納した状態における（ａ）のＦ−Ｆ線断面図である。
【図１８】（ａ）は同上トレーの平面図、（ｂ）はコップ(中)を収納した状態における（ａ）のＧ−Ｇ線断面図である。
【図１９】（ａ）は同上トレーの平面図、（ｂ）はコップ(大)を収納した状態における（ａ）のＨ−Ｈ線断面図である。
【図２０】（ａ）(ｂ)共に同上トレーの開口部を示す図である。
【図２１】同上開口部の上端部近傍の断面図である。
【図２２】同上トレーを積み重ねた状態の側面図である。
【図２３】同上トレーのミシン目の拡大図である。
【図２４】コップ収納用凹部を２個有する同上トレーの他の実施形態の平面図である。
【図２５】コップ収納用凹部を２個有する同上トレーの他の実施形態の斜視図である。
【発明を実施するための形態】
【００３５】
以下、本発明に係るパルプモウルド製のコップ収納用トレー１を詳細に説明する。尚、図１〜図１２に第１の実施形態のコップ収納用トレー、図１３〜図１９に第２の実施形態のコップ収納用トレーを示す。
【００３６】
図１、図２に示すように、第１の実施形態のコップ収納用トレー１は、パルプモウルド成形により一体に形成されたものであり（第２の実施形態も同じ）、底面２から上面開口３に向って起立する略筒状の周壁４を有するコップ収納用凹部５が形成されている。
【００３７】
尚、図１、図２にはコップ収納用凹部５が１個形成されたコップ収納用トレー１を示し、図３、図４には図１のコップ収納用トレー１のコップ収納用凹部５を２個左右方向に一体的に成形したコップ収納用トレー１を示し、図５、図６には、図２のコップ収納用トレー（コップ収納用凹部２個）を２個一体的に連結し、４個のコップ収納用凹部５を一体的に成形したコップ収納用トレー１を示す。これら図１〜図６のコップ収納用トレー１の各コップ収納用凹部５は、各々同一の構成を有するものである。
【００３８】
尚、以下の説明において、図１、図３、図５に示すように矢印Ａ方向を「左右方向」、矢印Ａ方向に直交する方向（矢印Ｂ方向）を「前後方向」という。
【００３９】
上記コップ収納用トレー１は、底面２から上面開口３に向って徐々に広がるように起立するテーパー状の周壁４により形成されたコップ収納用凹部５を具備するパルプモウルド製のコップ収納用トレーであって、上記コップ収納用凹部５の上面開口３の上縁にＵ字状縁部５’を設け、該Ｕ字状縁部５’の一対の端部５ａ，５ａ側の上記コップ収納用凹部５の外側に、上記底面２と略同一深さの一対の脚部１２，１２が形成されており、これら一対の脚部１２，１２と上記底面２により当該トレー１は自立可能に構成されている。
【００４０】
上記脚部１２，１２は、図１、図２に示すように、上記Ｕ字状縁部５’の一対の端部５ａ，５ａ部分より下方向けて、その底部１２ａ，１２ａが上記底面２と同一深さとなるように形成されており、これら一対の脚部１２，１２の間は、各脚部１２の対向面側に設けられた高位部１３，１３と、高位部１３，１３間の低位部１４と、上記高位部１３と上記低位部１４とを結ぶテーパー部１５，１５により前後方向に連結されている。尚、上記高位部１３と低位部１４の内面側（コップ収納用凹部５側）は上記コップ収納用凹部５の周壁４を構成している（図２参照）。尚、上記低位部１４を設けるのは、上記脚部１２，１２間のトレー１の補強のためであり、上記コップ収納用凹部５にコップを収納した状態において、確実にコップを自立支持するためである。
【００４１】
上記コップ収納用凹部５には、該凹部５の中心方向に突出する３箇所の凸面部６，６，６が形成されている。これら凸面部６，６，６は、上記Ｕ字状縁部５’の左側の連続縁中央部５ｂ側の周壁と、上記各脚部１２，１２近傍の周壁に、互いに１２０度の間隔を置いて突出形成されている。そして、上記各凸面部６，６，６の底面近傍の周壁には、略方形（略四角形）の開口部８，８，８が各々設けられており、これらの開口部８，８，８の上縁の中央部分には、各中央部分から各凸面部６，６，６の中心部を上方に開口することでスリット９，９，９が各々形成されており、各スリット９，９，９の各々の左右周壁４ａ，４ａが拡径方向（矢印Ｃ方向）に弾性変形可能に形成されている。即ち、上記スリット９，９，９の各左右周壁４ａ，４ａは、周壁４を形成するパルプモウルドの弾性により、当該凹部５の外側方向（矢印Ｃ方向）に弾性変形し得るように構成している。
【００４２】
上記各凸面部６，６，６の凹部中心方向に最も突出した突出頂部は、上記スリット９，９，９の下端部９’，９’，９’近傍であるが、この下端部９’，９’，９’近傍の内接円（凸面部内接円）Ｓ１の直径より大きな直径を有するコップを収納すると、上記各スリット９，９，９の各周壁４ａ，４ａがコップ外周面により拡径方向に押し広げられ、上記コップは上記左右周壁４ａ，４ａによって弾性的に保持されるように構成されている。即ち、上記凸面部６，６，６の下端部９’，９’，９’に内接する凸面部内接円Ｓ１の直径は、当該コップ収納用凹部５に収納されるコップの上記内接円Ｓ１に対応する外周面の直径より小さくなるように構成されている。このように構成すると、上記コップを上記コップ収納用凹部５に収納すると、上記周壁４ａ，４ａが上記コップの外周面に弾性的に当接し、コップを確実に保持することができる。
【００４３】
また、図２０に示すように、上記各開口部８はその高さα（後述の薄肉保持面８ａより下側の高さ）、横幅βとすると、[α≧β／３]（高さαが横幅βの１／３以上の長さを有する）、好ましくは［β≧α≧β／３］（高さαが横幅βの１／３以上の長さから横幅βと略同じ長さの範囲を有する）、好ましくは、［β／２≧α≧β／３］、（高さαが横幅βの１／３以上の長さから横幅βの１／２以下の長さを有する）となるような方形をなしている。また、上記薄肉保持面８ａを含む上記開口部８の高さをδとすると、［δ≦β］（高さδは横幅βの長さ以下）とすることが好ましい。このように構成すると、上記開口部８が縦方向に大きく開口形成されることになり、パルプモウルドの抄製時に、パルプ繊維のバリにより開口部８が閉鎖されてしまうことを効果的に防止し得る。即ち、上記開口部８の高さα方向が低いと、パルプモウルド抄製時に形成されるバリにより開口部８が閉鎖されてしまい、この場合上記左右周壁４ａ，４ａが充分に弾性変形せず、その結果、コップの収納に支障をきたすことになる。本発明では、上記開口部８の縦横比を上述のように構成することにより、開口部８を縦方向に大きく形成し、パルプモウルド抄製時のバリによる開口部８の閉鎖を効果的に抑制している。
【００４４】
また、図２０（ｂ）に示すように、本発明の発明者らの研究によると、上記開口部８は、［α≧β／６］（高さαが横幅βの１／６以上の長さを有する）、好ましくは［β≧α≧β／６］（高さαが横幅βの１／６以上の長さから横幅βと略同じ長さの範囲を有する）という条件であっても、パルプモウルドの抄製時に、パルプ繊維のバリにより開口部８が完全に閉鎖されてしまうことを防止し得ることがわかった。尚、α＝β／６の場合は、開口部８に極少量のバリはできるが、上記条件で製造した場合であっても、上記左右周壁４ａ，４ａが十分に弾性変形し、確実にコップを収納できる。
【００４５】
さらに、図２に示すように、上記各開口部８の上縁には、上記コップ収納用凹部５に収納されるコップの外周面に対向する薄肉保持面８ａが各々形成されている。この薄肉保持面８ａは、図２１に示すように、その保持面８ａが、末広がりテーパー状の周壁４に対して略鉛直面を形成しており、コップ（例えば大サイズのコップ２１）を収納したとき、コップ２１の外周面に当接して、コップを確実に保持するものである。この薄肉保持面８ａは上記開口部８の上部コーナー部８ｂ，８ｂを補強する機能をも有している。即ち、上記開口部８の上縁に沿って上記薄肉保持面８ａが形成されているため、上記コーナー部８ｂ，８ｂ部分が補強され、当該コーナー部分８ｂ，８ｂからの亀裂の発生等を効果的に防止することができる。
【００４６】
さらに、上記Ｕ字状縁部５’の連続縁中央部５ｂ側に位置する上記スリット９は（以下、この位置のスリットを符号「９ａ」で示す）、他の２箇所のスリット９，９よりその長さが短く形成され、該スリット９ａ上端と上記コップ収納用凹部５の上面開口３までの周壁に補強用周壁４ｂが形成されている（図１、図４参照）。
【００４７】
上記コップ収納用凹部５において、上記Ｕ字状縁部５’の上記連続縁中央部５ｂ近傍の部分５”（図１、図４参照）は、上記高位部１３，１３の近傍の周壁４に比較して強度が弱いため、この部分に上面開口３の近接位置まで上下方向に長いスリット９が形成されると、当該スリット９上端部分から上面開口３方向に上記周壁４が断裂してしまうおそれがある。
【００４８】
そこで、上記Ｕ字状縁部５’の上記連続縁中央部５ｂ側の上記スリット９ａは、その高さを他のスリット９，９より低く形成し、当該スリット９ａの上端と上記コップ収納用凹部５の上面開口３までの周壁に補強用周壁４ｂを形成しているものである。このように構成すると、上記スリット９ａの上端から上面開口５までに補強用周壁４ｂが形成されているので、上記スリット９ａから上方に向けて上記周壁４が断裂することを防止することができる。また、上記スリット９ａを短く構成することにより、当該スリット９ａの両側の左右周壁４ａ，４ａの弾性強度を大きくすることができ、より確実にコップを収納保持することができる。
【００４９】
さらに、上記各スリット９には図２、図３等に示すように、その上端部近傍部分に上記スリット９の空間を薄い肉厚で閉鎖する薄肉部９ｂが形成されている。従って上記各スリット９はその上端部分が上記薄肉部９ｂ，９ｂで補強された状態となり、上記各スリット９の上端部分から亀裂の発生等を効果的に防止することができ、コップ収納用トレー１全体の強度を高めることができる。
【００５０】
図３、図４に示すものは、図１のコップ収納用トレー１を、互いの一対の脚部１２，１２同士が各々連結されるように、これら脚部１２，１２同士を対向接続させた状態で、左右方向に一体に形成し、その状態において、上記トレーを一体に連結する左右連結部１１に、上記両トレーを左右に直線的に２分割し得るミシン目１６（図２３参照）を、上記左右方向に直交する前後方向（矢印Ｂ方向）に形成したものである。尚、ミシン目１６は、図２３に示すように、接続部１６ａと開口部１６ｂが交互に繰り返し形成されることにより構成されており、当該ミシン目１６に沿ってコップ収納用トレー１を２分割し得るものである。
【００５１】
より具体的には、図３、図４のコップ収納用トレー１は、図１に示すコップ収納用凹部５が１つのコップ収納用トレー１の上記脚部１２，１２同士と、高位部１３，１３同士と、低位部１４，１４同士と、テーパー部１５，１５同士を、互いに向き合わせて連結することにより、２個のコップ収納用凹部５，５が左右方向に連設された状態で形成されたものである。実際には、図３、図４に示す２個のコップ収納用凹部５，５を有するコップ収納用トレー１がパルプモウルドによって一体的に抄造される。尚、上記コップ収納用トレー１において、上記脚部１２、高位部１３、低位部１４、テーパー部１５によって形成される上記左右のコップ収納用凹部５，５を連結する前後方向の帯状部分を左右連結部１１という。
【００５２】
このコップ収納用トレー１は、図３に示すように、全体形状としては、一方（左）のコップ収納用凹部５の上縁を形成するＵ字状縁部５’と、他方（右）のコップ収納用凹部５の上縁を形成するＵ字状縁部５’とが、互いにそのＵ字状縁部５’の端部５ａ，５ａを内側に向けた状態で一体に成形されており、各端部５ａ，５ａ間のトレー前後外周部に、両トレーの脚部１２，１２が各々一体化された状態で形成されている。そして、当該トレー１は上記底面２と上記脚部１２，１２の底部１２ａ，１２ａにより安定して水平に載置し得るように構成されている。
【００５３】
そして、上記左右連結部１１の中央部分に、上記コップ収納用凹部５の連設方向（矢印Ａ方向）に直交する前後方向（矢印Ｂ方向）の直線状のミシン目１６を、該ミシン目１６にて上記左右連結部１１を左右に均等に２分割可能に設け、上記ミシン目１６により上記左右連結部１１を左右に均等に２分割した状態で、上記２個のコップ収納用凹部５，５を各別に分離し得るように構成したものである。よって、上記ミシン目１６により２分割すると、上記脚部１２，１２、高位部１３，１３、テーパー部１５，１５、低位部１４，１４が左右方向に均等に２分割され、図１、図２に示すコップ収納用トレー１を２個形成することができる。
【００５４】
そして、２分割した各コップ収納用トレー１，１は、図１、図２に示す上記コップ収納用凹部５の底面２と上記２分割された前後一対の脚部１２，１２により水平に自立可能となるように構成されている。
【００５５】
図５、図６に示すコップ収納用トレー１は、上記図２に示すコップ収納用トレー１の脚部１２同士を対向させ、上記Ｕ字状縁部５’の端部５ａ，５ａ側の直線部分５ｃ，５ｃを互いに接続し、上記２個の凹部５を有する上記トレー１を前後に連設し、４個のコップ収納用凹部５を有するコップ収納用トレー１としたものである。このコップ収納用トレー１は、上記直線部分５ｃ，５ｃに上記前後方向のミシン目１６に直交するミシン目１６’が形成されており、当該ミシン目１６’に沿って両コップ収納用トレー１を前後に２分割し、図２に示すコップ収納用トレー１に分割し得るように構成されている。尚、上記直線部分５ｃ，５ｃを含み、中央部に前後のトレーの脚部１２，１２同士が前後に連結している左右方向の帯状部分を前後連結部１１’という。
【００５６】
次に、図１〜図６に示すコップ収容用トレー１にコップを収納する機能について説明する。まず、直径が中サイズのコップ２０を収納する場合は、図７、図８に示すように、コップ収納用凹部５に上記コップ２０をその底部２０ａから挿入し、該底部２０ａが上記コップ収納用凹部５の底面２に接触するまで該凹部５内に押し込めば良い。
【００５７】
上記コップ２０を上記凹部５内に押し込むと、押し込む途中において、コップ２０の下部の外周面２０ｂが、コップ収納用凹部５の３個の凸面部６，６，６の最も突出した部分であるスリット９，９，９の下端部９’，９’，９’に当接し（図９）、上記スリット９，９，９の各左右周壁４ａ，４ａが拡径方向（矢印Ｃ方向）に弾性変形することで当該コップ収納用凹部５の内径が拡大し（図９（ｂ）参照）、上記コップ２０の上記外周面２０ｂに各凸面部６の上記左右周壁４ａ，４ａが強く当接する。そして、上記コップ２０の底部２０ａが上記底面２に当接するまで押し込む。かかる状態においては、上記各スリット９，９，９の左右周壁４ａ，４ａが上記コップ２０の上記外周面２０ｂに弾性的に当接しているので、コップ２０を確実に収納保持することができる。このとき、３個の開口部８，８，８の薄肉保持面８ａ，８ａ，８ａが互いに１２０度の間隔を置いて上記コップ２０の外周面２０ｂに接触するので、上記コップ２０を確実に保持することができる。
【００５８】
図１０、図１１には、直径が最も大きい大サイズのコップ２１を上記コップ収納用トレー１に収納した状態を示す。上記コップ２１を上記凹部５内に押し込むと、押し込む途中において、コップ２１の下部の外周面２１ｂが、コップ収納用凹部５の３個の凸面部６，６，６の最も突出した部分であるスリット９，９，９の下端部９’，９’，９’に当接し（図１２）、上記スリット９，９，９の各左右周壁４ａ，４ａが、中サイズのコップ２０より大きく拡径方向（矢印Ｃ方向）に弾性変形することで、当該コップ収納用凹部５の内径が大きく拡大し（図１２（ｂ）参照）、上記コップ２１の上記外周面２１ｂに上記左右周壁４ａ，４ａが強く当接する。そして、上記コップ２１の底部２１ａが上記底面２に当接するまで押し込む。かかる状態においては、上記スリット９，９，９の左右周壁４ａ，４ａが上記コップ２１の上記外周面２１ｂに弾性的に当接しているので、大サイズのコップ２１を確実に収納保持することができる。このとき、３個の開口部８，８，８の薄肉保持面８ａ，８ａ，８ａが互いに１２０度の間隔を置いて上記コップ２１の外周面２１ｂに接触するので、上記コップ２１を確実に保持することができる。
【００５９】
また、上記コップ２０又は２１を収納した状態において、当該スリット９ａの左右周壁４ａ，４ａが弾性変形しても、補強用周壁４ｂが形成されているので、上記スリット９ａ部分からトレー１が断裂することを効果的に防止することができる。
【００６０】
そして、本発明のコップ収納用トレー１は、図１、図２に示す１個のコップ収納用凹部５を有するコップ収納用トレー１の場合は、１個のコップ（２０又は２１）を確実に収納保持することができ、当該１個のコップを収納した状態においても、安定して自立が可能である。よって、例えばファーストフード店等において、図１、２の当該コップ収納用トレー１を持ち帰り用の袋の底面に設置し、当該袋内のコップ収納用トレー１に１個のコップを確実に自立状態で収納保持し得るし、当該コップ収納用トレー１は、１個のコップを収納保持した状態で、トレー等の上で安定して自立が可能である。
【００６１】
また、本発明のコップ収納用トレー１は、図３、図４に示す２個のコップ収納用凹部５を有するコップ収納用トレー１の場合は、２個のコップ（２０又は２１）を確実に収納保持することができ、２個のコップを収納した状態においても、安定して自立が可能である。よって、例えばファーストフード店等において、当該コップ収納用トレー１を持ち帰り用の袋の底面に設置し、当該袋内のコップ収納用トレー１に２個のコップを確実に自立状態で収納保持し得るし、当該コップ収納用トレー１は、２個のコップを収納保持した状態で、トレー等の上で安定して自立が可能である。勿論、サイズが異なる２個のコップをも同時に収納保持することができる。
【００６２】
さらに、図５、図６に示す４個のコップ収納用凹部５を有するコップ収納用トレー１の場合は、４個のコップ（２０又は２１）を確実に収納保持することができ、４個のコップを安定して収納保持することができる。勿論、サイズが異なるコップをも同時に収納保持することができる。
【００６３】
次に、本発明のコップ収納用トレー１の第２の実施形態を図１３〜図１９によって説明する。尚、上記図１〜図１２の実施形態と同一部分については同一符号を付して、便宜上それらの説明は省略する。
【００６４】
図１３、図１４に示す第２の実施形態においては、各上記凸面部６，６，６の間に形成された３箇所の周壁４’に対応する底面２において、上記底面２より一段高い各同一高さの段部１０，１０，１０を各々設けたものである。これらの段部１０は、上記隣接する凸面部６，６間の１箇所の上記周壁４’の部分に着目すると、当該周壁４’に対応する底面２において、背面を上記周壁４’に接し、その内周面１０ａ，１０ａをコップ収納用凹部５の中央側に向けた状態で、間に間隙Ｐを残して両側の凸面部６，６の対向側面に各々の側面が接するように、一対の段部１０，１０が形成されており、これらの一対の段部１０，１０が、上記各凸面部６，６間の３箇所に各々形成されている。即ち、上記一対の段部１０，１０及び間隙Ｐが、上記各凸面部６間に１２０度間隔で上記底面２上に形成されている。
【００６５】
これら各段部１０の内周面１０ａは、各内周面１０ａによって段部内接円Ｓ２が形成されるように、各々円弧状に形成されている（図１３参照）。そして、上記各段部１０，１０，１０の内周面１０ａ，１０ａ，１０ａにより形成される段部内接面Ｓ２の直径が、上記各凸面部６，６，６の最も中央方向に突出した突出頂部（上記スリット９，９，９の下端部９’，９’，９’部分）の上記凸面部内接円Ｓ１の直径より小となるように形成したものである。
【００６６】
そして、上記段部内接円Ｓ２の直径を、当該コップ収納用凹部５に収納される最も小さい小サイズのコップ２２の下端部の外周面２２ｂの直径より若干小さく形成する。
【００６７】
さらに、上記段部内接円Ｓ２の直径は、中サイズのコップ２０の下端部の直径及び大サイズのコップ２１の下端部の直径より小さく形成する。かつ上記突出頂部の凸面部内接円Ｓ１の直径は、上記中サイズのコップ２０の上記突出頂部に対応する外周面２０ｂの直径及び上記大サイズのコップ２１の上記突出頂部に対応する外周面２１ｂの直径より小さくなるように構成し、これにより中サイズのコップ２０及び大サイズのコップ２１は、その下端部が上記段部１０，１０，１０の上面１０ｂ，１０ｂ，１０ｂ上に載置された状態で、上記凸面部６，６，６の弾性力によって確実に収納保持されるように構成している。
【００６８】
また、上記各段部１０，１０，１０は、上記各スリット９，９，９の下端部９’より低い高さとなるように構成されている。従って、上記小サイズのコップ２２を上記３個の段部１０，１０，１０により形成される空間内に収納したとき、上記内周面１０ａ，１０ａ，１０ａにて上記小サイズの紙コップ２２の外周下端を、パルプモウルド製の段部１０，１０，１０の弾性により確実に保持し得るように構成している（図１７参照）。
【００６９】
次に、図１３〜図１６に示すコップ収容用トレー１にコップを収納する機能について説明する。まず、直径が最も小さい小サイズのコップ２２を収納する場合は、図１７（ａ）（ｂ）に示すように、コップ収納用凹部５に上記コップ２２をその底部２２ａから挿入し、該底部２２ａが上記コップ収納用凹部５の底面２に接触するまで該凹部５内に押し込めば良い。
【００７０】
すると、上記コップ２２の底面２２ａ近傍の下端部外周面２２ｂが上記段部１０，１０，１０の内周面１０ａ，１０ａ，１０ａに当接した状態となり、上記段部１０，１０，１０の弾性力によって上記コップ２２は上記コップ収納用凹部５内に確実に収納保持される。即ち、上記コップ２２の上記外周面２２ｂは、上記内周面１０ａ，１０ａ，１０ａにより構成される段部内接円Ｓ２の直径より若干大きいため、上記コップ２２はその下端部を以って上記段部１０，１０，１０に嵌合した状態となり、当該凹部５内において自立状態で確実に収納保持される。
【００７１】
次に、直径が中サイズのコップ２０を収納する場合は、図１８（ａ）（ｂ）に示すように、コップ収納用凹部５に上記コップ２０をその底部２０ａから挿入し、該底部２０ａが上記コップ収納用凹部５の上記段部１０，１０，１０の上面１０ｂ，１０ｂ，１０ｂに接触するまで該凹部５内に押し込めば良い。
【００７２】
上記コップ２０を上記凹部５内に押し込むと、押し込む途中において、コップ２０の外周面２０ｂが、コップ収納用凹部５の３個の凸面部６，６，６の最も突出した部分であるスリット９，９，９の下端部９’，９’，９’に当接し、さらにコップ２０を押し込むと、上記スリット９，９，９の左右周壁４ａ，４ａが拡径方向（矢印Ｃ方向）に弾性変形することで当該コップ収納用凹部５の内径が拡大し（１８（ｂ）参照）、上記コップ２０の外周面２０ｂに上記左右周壁４ａ，４ａが当接した状態で、上記コップ２０の底部２０ａが上記段部１０，１０，１０の上面１０ｂ，１０ｂ，１０ｂに当接するまで押し込む。かかる状態においては、上記スリット９，９，９の左右周壁４ａ，４ａが上記コップ２０外周面２０ｂに弾性的に当接しているので、コップ２０を確実に収納保持することができる。このとき、３個の開口部８，８，８の薄肉保持面８ａ，８ａ，８ａが互いに１２０度の間隔を置いて上記コップ２０の外周面２０ｂに接触するので、上記コップ２０を確実に保持することができる。
【００７３】
図１９（ａ）（ｂ）には、直径が最も大きい大サイズのコップ２１を上記コップ収納用トレー１に収納した状態を示す。この大サイズのコップ２１を収納する場合もその機能は上記中サイズのコップ２０の場合と同様であり、上記コップ２１の底面２１ａが上記段部１０，１０，１０の上面１０ｂ，１０ｂ，１０ｂに接触するまで押し込めば良い。図１９（ｂ）に示すように、上記コップ２１を押し込んでいくと、上記スリット９，９，９の左右周壁４ａ，４ａは、上記中サイズのコップ２０のときよりより大きく拡径方向（矢印Ｃ方向）に弾性変形し、上記コップ２１を確実に収納保持することができる。
【００７４】
そして、当該第２の実施形態のコップ収納用トレー１においても、上記第１の実施形態と同様に、図１３、図１４に示す１個のコップ収納用凹部５を有するコップ収納用トレー１の場合は、１個のコップ（２０又は２１又は２２）を確実に収納保持することができ、当該１個のコップを収納した状態においても、安定して自立が可能である。よって、例えばファーストフード店等において、当該コップ収納用トレー１を持ち帰り用の袋の底面に設置し、当該袋内のコップ収納用トレー１に１個のコップを確実に自立状態で収納保持し得るし、当該コップ収納用トレー１は、１個のコップを収納保持した状態で、トレー等の上で安定して自立が可能である。
【００７５】
また、第２の実施形態のコップ収納用トレー１は、図１５、図１６に示す２個のコップ収納用凹部５を有するコップ収納用トレー１の場合は、２個のコップ（２０又は２１又は２２）を確実に収納保持することができ、２個のコップを収納した状態においても、安定して自立が可能である。よって、例えばファーストフード店等において、当該コップ収納用トレー１を持ち帰り用の袋の底面に設置し、当該袋内のコップ収納用トレー１に２個のコップを確実に自立状態で収納保持し得るし、当該コップ収納用トレー１は、２個のコップを収納保持した状態で、トレー等の上で安定して自立が可能である。勿論、サイズが異なる２個のコップをも同時に収納保持することができる。
【００７６】
さらに、上記第２の実施形態のコップ収納用トレー１は、図５、図６に示す４個のコップ収納用凹部５を有するコップ収納用トレー１の場合は、４個のコップ（２０又は２１又は２２）を確実に収納保持することができ、４個のコップを確実に収納保持できる。勿論、サイズ（大中小）が異なる４個のコップをも確実に収納保持することができる。このように第２に実施形態は、１つのコップ収納用凹部５において、大中小の３種類のサイズのコップを確実に収納保持することができる。
【００７７】
上記第１、第２の実施形態において、２３は、上記コップ収納用凹部５において、２箇所のコーナー部分に外向きに突出形成された外向小突起である。この外向小突起２３，２３は、図４に示すように、外向きに突出した水平面２３ａを有しており、当該水平面２３ａは各々同一水準位置となるように構成されている。
【００７８】
よって、本発明におけるコップ収納用トレー１を図２２に示すように、複数個積み重ねた状態において、上側のトレー１の上記外向小突起２３の水平面２３ａが下側のコップ収納用トレー１の上記Ｕ字状縁部５’に接することで、当該外向小突起２３がスペーサとしての機能を発揮し、当該外向小突起２３の高さの空間を空けた状態で複数のトレー１を水平に積み重ねることができる。このように構成すると、図２２に示す積み重ね状態から１個のコップ収納用トレー１を容易に取り外すことができ、使用現場における１個のトレーの取り外し性を向上して、使い勝手を向上させることができる。
【００７９】
尚、上記外向小突起２３は１つのコップ収納用凹部５に２個設けられているので、図２のコップ収納用トレーでは４個の外向小突起２３、図５のコップ収納用トレーでは８個の外向小突起２３によって積み重ね状態におけるトレーの取り外し性能を向上することができるものである。
【００８０】
図２４、図２５に示すものは上記第１の実施形態の一部変形例を示すものであり、図３，４に示すコップ収納用トレー１に対して、上記底面２の上記開口部８，８，８の各下端に沿って円弧状の低突出段部１７，１７，１７を設けたものである。このように低突出段部１７，１７，１７を設けることにより、パルプモウルド成形において、底部２を補強して底部２の保形性を高めることができる。尚、この実施形態においては、上記開口部８，８，８の下端は上記低突出段部１７，１７，１７の上面から上方に向けて開口している。
【００８１】
本発明は以上のように、異なるサイズのコップ（２０，２１等）を１つのコップ収納用凹部５にて確実に収納保持することができ、しかもスリット９ａからのトレーの断裂を防止し得て、強度も十分に高いコップ収納用トレーを実現したものである。
【００８２】
また、コップ収納時に、上記開口部８の薄肉保持面８ａがコップの外周面３箇所に接触するので、コップを確実に収納保持することができるものである。
【００８３】
また、直径の異なるコップを各々収納することができるコップ収納用凹部５を２個有するコップ収納用トレー１（図２参照）を形成することができ、しかも、かかるコップ収納用トレー１をそのミシン目１６から左右に分離することができるため、コップの数等、各使用態様に適切に対応可能なコップ収納用トレーを実現し得る。
【００８４】
また、１個のコップ収納用凹部５を有するコップ収納用トレー（図１参照）にコップを収納した状態で、当該トレー１を自立させることができ、１個のコップを例えば持ち帰り用袋の内部で安定して自立させることができるし、１個のコップを１個のコップ収納用凹部５を有するトレー１に収納保持した状態で、当該トレー１を安定して自立させることができる。
【００８５】
また、直径の異なるコップを各々収納することができるコップ収納用凹部５を４個有するコップ収納用トレー（図４参照）を形成することができ、しかも、かかるコップ収納用トレー１をそのミシン目１６’から前後に分離することにより、２個のコップ収納用凹部５を有する２個のコップ収納用トレー１に分離することができ、各使用態様に適切に対応可能なコップ収納用トレーを実現し得る。
【００８６】
また、コップ収納用凹部５に段部１０を形成することによって、１つのコップ収納用凹部５において大中小の３種類のサイズのコップを安定して収納保持することができるものである。
【００８７】
また、開口部８，８，８が上下方向に広く、開口部の下端が底面２の位置から開口しているので、コップを収納したとき、コップの下端外周部面が上記開口部８，８，８から大きく張り出すため、各スリット９，９，９の左右周壁４ａ，４ａの弾性によりコップの外周部を確実に保持して、コップ収納用凹部５内においてコップを確実に収納保持することができる。
【産業上の利用可能性】
【００８８】
本発明のコップ収納用トレーは、例えばファーストフード店においてコーヒー等の飲み物を入れた紙コップを収納保持するコップ収納用トレーとして幅広く利用が可能である。
【符号の説明】
【００８９】
１            コップ収納用トレー
２            底面
３            上面開口
４            周壁
４ａ，４ａ    左右周壁
４ｂ          補強用周壁
５            コップ収納用凹部
５’          Ｕ字状縁部
５ａ          端部
５ｂ          連続縁中央部
６            凸面部
８            開口部
８ａ          薄肉保持面
９，９ａ      スリット
９’          下端部
１０          段部
１０ａ        内周面
１１          左右連結部
１１’        前後連結部
１２          脚部
１６，１６’  ミシン目
２０          中サイズのコップ
２０ｂ        外周面
２１          大サイズのコップ
２１ｂ        外周面
２２          小サイズのコップ
２２ｂ        外周面
Ａ            矢印（左右方向）
Ｂ            矢印（前後方向）
Ｃ            矢印（拡径方向）
Ｓ１          凸面部内接円
Ｓ２          段部内接円
α            高さ
β            横幅
【図１】
2012030888.tif 000003
【図２】
2012030888.tif 000004
【図３】
2012030888.tif 000005
【図４】
2012030888.tif 000006
【図５】
2012030888.tif 000007
【図６】
2012030888.tif 000008
【図７】
2012030888.tif 000009
【図８】
2012030888.tif 000010
【図９】
2012030888.tif 000011
【図１０】
2012030888.tif 000012
【図１１】
2012030888.tif 000013
【図１２】
2012030888.tif 000014
【図１３】
2012030888.tif 000015
【図１４】
2012030888.tif 000016
【図１５】
2012030888.tif 000017
【図１６】
2012030888.tif 000018
【図１７】
2012030888.tif 000019
【図１８】
2012030888.tif 000020
【図１９】
2012030888.tif 000021
【図２０】
2012030888.tif 000022
【図２１】
2012030888.tif 000023
【図２２】
2012030888.tif 000024
【図２３】
2012030888.tif 000025
【図２４】
2012030888.tif 000026
【図２５】
2012030888.tif 000027